(57)【要約】      （修正有）【課題】複数台の遊技機が並設される遊技施設等において、清掃、メンテナンス作業、あるいは遊技機入れ替え作業の妨げになることがなく、構造が簡単で退避操作も簡単な遊技機用仕切り装置を提供する。【解決手段】仕切り装置１０は、隣り合う遊技機３間の境界部６の前方に配置されており、境界部６に着脱自在に固定される取り付けアーム１３と、取り付けアーム１３にヒンジ１２を介して回動自在に支持される仕切り板１１とを備えており、この仕切り板１１は、遊技機３の前方空間Ｓ１を仕切る使用位置Ｐ１と、使用位置Ｐ１からヒンジ１２回りに上方へ退避される退避位置Ｐ２との間で位置変更可能である。【選択図】図２
0003228311.tif 000002
【実用新案登録請求の範囲】
【請求項１】
隣り合う遊技機間の境界部の前方に配置され、前記遊技機の上部の前方空間を仕切る遊技機用仕切り装置であって、
前記境界部に後端部において固定される取り付けアームと、
前記取り付けアームの先端部にヒンジを介して回動自在に支持され、前記遊技機の前記上部の前記前方空間を仕切る使用位置と、前記使用位置から前記ヒンジ回りに上方へ退避される退避位置との間で位置変更可能な仕切り板とを具備する遊技機用仕切り装置。
【請求項２】
前記取り付けアームは、前記境界部から前方へ突出し、前記仕切り板の上部を回動自在に支持する請求項１記載の遊技機用仕切り装置。
【請求項３】
前記取り付けアームは、前記境界部に着脱可能に取り付けられた請求項１又は２記載の遊技機用仕切り装置。
【請求項４】
前記取り付けアームは、前記仕切り板を前記ヒンジ回りの前記使用位置に係止する第１係止部と、前記仕切り板を前記ヒンジ回りの前記退避位置に係止する第２係止部とを有する請求項１乃至３のいずれか一項記載の遊技機用仕切り装置。
【請求項５】
前記仕切り板は、直角台形の平面形状を有する請求項１乃至４のいずれか一項記載の遊技機用仕切り装置。
【請求項６】
前記仕切り板は、前記退避位置において、その重心が前記ヒンジの軸心よりも後方に位置する構造である請求項１乃至５のいずれか一項記載の遊技機用仕切り装置。
【請求項７】
前記仕切り板の本体部は、透明な樹脂板である請求項１乃至６のいずれか一項記載の遊技機用仕切り装置。
【請求項８】
請求項１乃至７のいずれか一項記載の遊技機用仕切り装置を備えた遊技機。
【考案の詳細な説明】
【技術分野】
【０００１】
本考案は、パチンコ、スロットマシン、あるいはその他ゲーム機の各種遊技機が、並列に複数台設置されている遊技施設において、遊技機の前方空間を、遊技機毎に仕切る遊技機用仕切り装置に関する。
【背景技術】
【０００２】
近年、パチンコ店等の一部の遊技施設では、前記のような仕切り装置を設置することにより、隣席の人の仕草、咳、くしゃみ等を気にせず、遊技に集中できるようにしている。また、仕切り装置の設置は、隣席の人との気の進まない会話を避け、ウイルス感染防止にも役立っている。
【０００３】
ところが、遊技機毎に仕切り装置を設置しているので、設備の清掃やメンテナンス作業、あるいは店員によるサービス提供時、さらには遊技機の全台交換作業時には、各仕切り装置が、それらの作業の妨げとなり、作業効率が低下するという問題があった。さらに、店員や作業員の身体あるいは道具が仕切り板に当たり、仕切り板が変形するという問題もあった。
これらの問題に対処する仕切り装置として、例えば特許文献１には、出没可能な可動式の仕切り板を備えた仕切り装置が開示されている。具体的には、仕切り板を遊技機の架台に回動自在に取り付け、回動により、仕切り板を前方の使用位置と後方の収納位置との間で前後に出没させる構造である。
【先行技術文献】
【特許文献】
【０００４】
【特許文献１】特開平７−１８５１１２号公報
【考案の概要】
【考案が解決しようとする課題】
【０００５】
しかしながら、上述した特許文献１に記載された仕切り装置は、仕切り板を略前後方向に位置変更させる構造であり、非使用時には、仕切り板を後方に移動することにより、隣り合う遊技機間に形成された収納隙間に収納される。この構造では、仕切り装置の取り付け構造及び収納の構造が複雑になり、また、遊技機の全台入れ替え作業時には、たとえ収納位置でも、各遊技機に備えられた仕切り板が、作業の妨げとなるという問題があった。
【０００６】
本考案の目的は以上の問題点を解決し、清掃、メンテナンス作業、あるいは遊技機入れ替え作業の妨げになることがなく、しかも、構造が簡単で退避操作も簡単な遊技機用仕切り装置を提供することにある。
【課題を解決するための手段】
【０００７】
本考案に係る遊技機用仕切り装置は、隣り合う遊技機間の境界部の前方に配置され、各遊技機の前方空間を仕切る遊技機用仕切り装置であって、前記境界部に固定される取り付けアームと、前記取り付けアームにヒンジを介して回動自在に支持され、前記遊技機の前記前方空間を仕切る使用位置と、前記使用位置から前記ヒンジ回りに上方へ退避される退避位置と、の間で位置変更可能な仕切り板と、を備えている。
【０００８】
この考案の遊技機用仕切り装置では、清掃時、メンテナンス作業時、サービス提供時には、仕切り板を遊技機の前方空間から上方の退避位置へ回動させておけば、それらの作業の妨げにはならず、作業効率が向上する。しかも、特許文献１の装置のように、遊技機間の境界部に仕切り板収納空間を形成する必要がないので、仕切り装置を有しない既存の設備に大幅な改造を加えることなく、本考案の仕切り装置を追加設置できる。
【０００９】
一実施形態の遊技機用仕切り装置では、前記取り付けアームは、前記境界部から前方へ突出し、前記仕切り板の上部を回動自在に支持している。
【００１０】
この一実施形態の遊技機用仕切り装置では、仕切り板の上部を回動自在に支持しているので、使用位置から上方の退避位置まで、遊技機が妨げになることなく、円滑に回動できる。
【００１１】
一実施形態の遊技機用仕切り装置では、前記取り付けアームは、前記境界部に着脱可能に取り付けられている。
この一実施形態の遊技機用仕切り装置では、遊技機の全台入れ替え作業の時には、仕切り装置を境界部から取り外しておくことにより、作業がし易くなる。
【００１２】
一実施形態の遊技機用仕切り装置では、前記取り付けアームは、前記仕切り板を前記ヒンジ回りの前記使用位置に係止する第１係止部と、前記仕切り板を前記ヒンジ回りの前記退避位置に係止する第２係止部と、を備えている。
【００１３】
この一実施形態の遊技機用仕切り装置では、仕切り板を回動操作する際、使用位置と退避位置とに、簡単かつ正確に設定できる。
一実施形態の遊技機用仕切り装置では、前記仕切り板は、前記退避位置において、その重心が前記ヒンジの軸心よりも後方に位置する構成である。
【００１４】
この一実施形態の遊技機用仕切り装置では、退避位置での仕切り板は、その自重が、仕切り板を第２係止部へ押し付ける力として働き、これにより、仕切り板の前方への倒れを自動的に防ぐことができる。
【００１５】
一実施形態の遊技機用仕切り装置では、前記仕切り板の本体部は、透明な樹脂板である。
【００１６】
この一実施形態の遊技機用仕切り装置では、着座している遊技者は、左右両側を仕切り板により覆われながらも、左右の景色は見えるので、閉塞感を感じることなく、快適に遊技できる。
【００１７】
別の局面では、この考案の遊技機は、上述した遊技機用仕切り装置を備えている。
【考案の効果】
【００１８】
本考案に係る遊技機用仕切り装置によれば、遊技機の前方空間を仕切る仕切り板が、遊技機の前方空間を仕切る使用位置と、前記使用位置から前記ヒンジ回りに上方へ退避される退避位置との間で位置変更可能なので、清掃時、メンテナンス作業時、サービス提供時には、仕切り板を上方の退避位置まで回動させておけば、それらの作業の妨げにはならず、作業効率が向上する。しかも、遊技機間の境界部に仕切り板を収納する空間を確保する必要がないので、既存の設備に大幅な改造を加えることなく、仕切り装置を設置できる。
【図面の簡単な説明】
【００１９】
【図１】本考案の一実施形態に係る遊技機用仕切り装置を備えた遊技機列の正面略図である。
【図２】図１の遊技機のＩＩ−ＩＩ線断面拡大図である。
【図３】図２の仕切り装置の取り付けアームの後端部を分解状態で示す拡大斜視図である。
【図４】図３と同じ取り付けアームの後端部を組み立て状態で示す拡大斜視図である。
【図５】図２の仕切り装置の取り付けアームのヒンジを、仕切り板が使用位置の状態で示す縦断面である。
【図６】図５と同じ取り付けアームのヒンジを、仕切り板が退避位置の状態で示す縦断面である。
【考案を実施するための形態】
【００２０】
以下、本考案の具体的な実施形態について添付の図面を参照しながら説明する。  
図１は、本考案に係る仕切り装置を備えた遊技機列の正面略図（前面略図）であり、各遊技機３の操作面側を前側（前方）と規定している。図１において、遊技施設内には、多数の遊技機（例えばスロットマシン）３が、左右方向に略直線状に並べられ、かつ、隣り合う遊技機３同士が左右方向に所定間隔を置くように配列されている。これらの遊技機３は、左右方向に延設された架台１の各収納凹部２内に、前部が露出するように収納されている。各遊技機３の前方の床面４には、遊技者用の椅子５がそれぞれ設置されている。
【００２１】
本考案に係る遊技機用仕切り装置１０は、隣り合う遊技機３間の各境界部６の前方と、遊技機列の左端に配置された遊技機３の左側部の前方と、遊技機列の右端に配置された遊技機（図示せず）３の右側部の前方に配置されている。これらの遊技機用仕切り装置１０により、各遊技機３の上部の前方空間Ｓ１は、遊技機３毎に仕切られている。遊技者は遊技機３の前方に座位し、遊技機３を凝視し、操作する。座位する遊技者の顔部は、遊技機３の上部に対峙する。遊技機用仕切り装置１０により、遊技者の顔部は、頭部、首及び肩部とともに隣の遊技者と隔絶される。肩より下側の胸部、腹部及び下半身は隔絶されず開放されているので、上半身全体が隔絶される場合、全身が隔絶される場合に比べて、遊技者が感じる窮屈さは緩和される。
【００２２】
図２は、図１のＩＩ−ＩＩ線断面拡大図であり、仕切り装置１０は、仕切り板１１と、該仕切り板１１の後上端部を、ヒンジ１２により上下回動自在に支持する板金製の取り付けアーム１３とを備えて構成されている。実線で示す仕切り板１１は、遊技機３の前方空間Ｓ１を遊技機３毎に仕切る使用位置Ｐ１に位置している状態であり、仮想線（二点鎖線）で示す仕切り板１１は、前方空間Ｓ１の上方まで回動した退避位置Ｐ２に位置している状態である。
【００２３】
仕切り板１１は、透明樹脂板製の本体部１５と、本体部１５の上辺に固着された板金製の可動アーム部１６と、本体部１５の外周縁に装着されたゴム製の保護カバー部１７と、を備えて構成されている。透明な本体部１５は、直角台形の平面形状を有する。使用位置Ｐ１においては、本体部１５の上底とそれよりも長い下底はともに水平になり、上底及び下底に直角な一方の脚は境界部６の近く後方に位置し、他方の脚は境界部６から遠く前方に向かって下方に傾斜する。仕切り板１１は前方に張り出すものの、その範囲は上部に限定され、手前に向かって細くなるので、圧迫感は抑えられる。
【００２４】
符号Ｃ１は、仕切り板１１全体の重心を示している。この重心Ｃ１は、板金製の可動アーム部１６が本体部１５の上辺に固着されていることにより、本体部１５の単体の重心位置よりも、可動アーム部１６側に偏移している。
ヒンジ１２は、可動アーム部１６の後端部に上方突出状に形成された山形部１６ａと、取り付けアーム１３の前端円弧形部とを、ヒンジ軸１２ａにより回動自在に連結することにより、構成されている。
【００２５】
仕切り板１１を、使用位置Ｐ１から上方の退避位置Ｐ２まで、矢印Ｕのように回動させた時、退避位置Ｐ２に至る少し手前において、重心Ｃ１はヒンジ軸心Ｏ１を含む垂直面Ｌ１に対し、前側から後側へ通過し、退避位置Ｐ２では、重心Ｃ１は垂直面Ｌ１よりも後方まで移動している。すなわち、退避位置Ｐ２では、仕切り板１１の重量は、仕切り板１１を後方へと回動させる荷重として、仕切り板１１に掛かかる。
取り付けアーム１３の後端部は、境界部６の上部に設けられた板金製の取り付け台２０に、ボルト２１、２１及び位置決めピン２３により、着脱自在に固定されている。取り付けアーム１３は、その後端部から略水平に前方に延びて、遊技機１の前方空間Ｓ１の上部に至り、前述のように、前端部において、ヒンジ１２を介して仕切り板１１を回動自在に支持している。
【００２６】
図３及び図４は、取り付けアーム１３の後端部の着脱自在な取り付け構造を示している。図３の分解図に示すように、架台１に固定される取り付け台２０は、上方に突出する金属の厚板でできており、複数のボルト挿通孔２５及び前述の位置決めピン２３が設けられると共に、底壁部２０ａが架台１に固着されている。一方、取り付けアーム１３の後端部は、取り付け台２０の外周面に前方及び上方から嵌合できるように、左右方向に所定間隔を隔てた一対の後部側壁により構成されている。左右一対の後部側壁は、取り付け台２０より前方部分では、上壁により一体化され、断面形状が下開きＵ字状に形成されている。取り付けアーム１３の後端部には、前記取り付け台２０のボルト挿通孔２５に対応する位置にボルト挿通孔２７が形成されると共に、後端縁には、上方に突出して位置決めピン２３に係合可能な位置決め突起２８が形成されている。
【００２７】
取り付けアーム１３を取り付け台２０に固定する際には、まず、位置決め突起２８が下がるように取り付けアーム１３全体を後下がり状に傾け、前方から取り付けアーム１３の後端部を取り付け台２０に嵌合し、水平状態に戻すことにより、まず、位置決め突起２８を位置決めピン２３に係合する。次に、取り付けアーム１３の後端部を位置決めした状態で、ボルト２１をボルト挿通孔２７、２５に挿通し、ナット２６を締め付けることにより、図４に示すように取り付けアーム１３を、取り付け台２０に水平状態に固定する。
【００２８】
なお、取り付けアーム１３は着脱自在に限定されることはなく、架台１にリベットやボルト等により固定される構造であってもよい。
【００２９】
図５及び図６は、取り付けアーム１３と可動アーム部１６とを回動自在に連結するヒンジ１２部分の縦断面拡大図であり、取り付けアーム１３の前部の断面形状は、上下方向に細長い長方形状となっているが、前端部において、上下壁が切除されており、両側壁間に前記可動アーム部１６の山形部１６ａが挿入されている。取り付けアーム１３の下壁の前端は、仕切り板１１の可動アーム部１６を使用位置Ｐ１で係止する第１係止部３１であり、上壁の前端は、仕切り板１１の可動アーム部１６を退避位置Ｐ２で係止する第２係止部３２である。
【００３０】
即ち、仕切り板１１を図５の使用位置Ｐ１から矢印Ｕ方向に上方へ回動すると、図６のように可動アーム部１６が第２係止部３２に前上方から当接した時点で、退避位置Ｐ２に停止される。この退避位置Ｐ２では、図２に示すように、仕切り板１１の重心Ｃ１は、ヒンジ軸心Ｏ１を含む垂直面Ｌ１より後方に移っており、したがって、仕切り板１１は前方に戻ることなく、自動的に退避位置Ｐ２に保持される。
【００３１】
以上説明した本考案の実施形態によると次の効果を奏する。  
（１）仕切り板１１を使用位置Ｐ１にセットしておくことにより、隣り合う遊技機３の前方空間Ｓ１の間を仕切るので、遊技者は、隣席の遊技者の仕草、咳、くしゃみ等を気にせず、遊技に集中でき、また、隣席の遊技者との気に進まない会話も避け、ウイルス等の感染防止にもなる。
【００３２】
（２）仕切り板１１は、下方の使用位置Ｐ１から上方の退避位置Ｐ２まで回動自在であるので、清掃時、メンテナンス作業時、サービス提供時には、仕切り板１１を遊技機３の前方空間Ｓ１の上方の退避位置Ｐ２へ回動させておけば、それらの作業の妨げにはならず、作業効率が向上する。しかも、遊技機３間の境界部６には仕切り板収納空間を形成する必要がないので、仕切り装置を有しない既存の設備に大幅な改造を加えることなく、仕切り装置を追加設置できる。
【００３３】
（３）取り付けアーム１３は、境界部６から前方へ突出し、仕切り板１１の上端部を回動自在に支持しているので、使用位置Ｐ１から上方の退避位置Ｐ２まで、遊技機３が妨げになることなく、ヒンジ１３よりも前方を経由して、円滑に回動できる。
【００３４】
（４）取り付けアーム１３は、後端部がボルト２１等により、境界部６に着脱可能に取り付けられているので、たとえば、遊技機３の全台入れ替え作業の時に、仕切り装置１０の全体を境界部６から取り外しておくことにより、作業がし易くなる。
【００３５】
（５）取り付けアーム１３は、仕切り板１１をヒンジ１２回りの使用位置Ｐ１に係止する第１係止部３１と、仕切り板１１をヒンジ１２回りの退避位置Ｐ２に係止する第２係止部３２と、を備えているので、仕切り板１１を回動操作する際、使用位置Ｐ１と退避位置Ｐ２とに、簡単かつ正確に設定できる。しかも、退避位置Ｐ２では、仕切り板１１は、ヒンジ軸１２ａと第２係止部３２との２点において、下から支えられるので、退避位置Ｐ２での仕切り板１１の維持状態が安定する。また、使用位置Ｐ１でも、仕切り板１１は、ヒンジ軸１２ａと第１係止部３１の２点において、支えられるので、使用位置Ｐ１での仕切り板１１の状態が安定する。
【００３６】
（６）仕切り板１１の重心Ｃ１は、退避位置Ｐ２において、ヒンジ軸心Ｏ１よりも後方に位置するように設定されているので、退避位置Ｐ２から前方への倒れを自動的に防ぐことができる。
【００３７】
（７）仕切り板１１の本体部１５は、透明な樹脂板であるので、遊技者は、左右両側を仕切り板１１により覆われながらも、左右の景色を見ることが可能で、閉塞感を感じることなく、快適に遊技できる。
【００３８】
（８）仕切り板１１の形状を、図２のように使用位置Ｐ１において、上辺に前下がりの斜面を有する台形としていると、矢印Ｕ方向に回動する場合、上方の退避位置Ｐ２近傍において、遊技機３に当接することなく、後方へ大きく傾斜させることができる。これにより、重心Ｃ１を、簡単にヒンジ軸心Ｏ１から後方に移動させることができる。
（その他の実施形態）
（１）遊技機は、スロットマシンには限定されず、パチンコやその他のゲーム機にも適用可能である。
【００３９】
（２）取り付けアームを架台の境界部に着脱自在に取り付ける手段は、前述のようなボルト等を利用した固定手段には限定されず、たとえば一対の板で挟持する構造等、各種考えられる。
【００４０】
本考案のいくつかの実施形態を説明したが、これらの実施形態は、例として提示したものであり、考案の範囲を限定することは意図していない。これら実施形態は、その他の様々な形態で実施されることが可能であり、考案の要旨を逸脱しない範囲で、種々の省略、置き換え、変更を行うことができる。これら実施形態やその変形は、考案の範囲や要旨に含まれると同様に、実用新案登録請求の範囲に記載された考案とその均等の範囲に含まれるものである。
【符号の説明】
【００４１】
１…架台、２…収納凹部、３…遊技機、６…境界部、１０…仕切り装置、１１…仕切り板、１２…ヒンジ、１２ａ…ヒンジ軸、１３…取り付けアーム、１５…仕切り板の透明な樹脂製の本体部、１６…仕切り板の可動アーム部、３１…第１係止部、３２…第２係止部、Ｐ１…使用位置、Ｐ２…退避位置、Ｃ１…仕切り板の重心、Ｓ１…遊技機の前方空間、Ｏ１…ヒンジ軸心。
【図１】
0003228311.tif 000003
【図２】
0003228311.tif 000004
【図３】
0003228311.tif 000005
【図４】
0003228311.tif 000006
【図５】
0003228311.tif 000007
【図６】
0003228311.tif 000008